(57)【特許請求の範囲】
【請求項１】
ベッド主部２及び該ベッド主部２より側方に突出するシリンダ部３よりなるミシンベッド１と、シリンダ部３に配置され、主送り歯を備えた主送り台６及び該主送り台６と並設され、差動送り歯を備えた差動送り台７と、ベッド主部２よりシリンダ部３まで延び、主送り台６及び差動送り台７の後二又部に嵌合する角駒５を介して両送り台６、７に上下動を伝動する駆動軸４と、該駆動軸４と連動し、主送り台６及び差動送り台７の前二又部に嵌合する角駒１３を介して、両送り台６、７に上記上下動と同期した上下動を伝動する上下送り軸９と、駆動軸４と連動して往復回動運動し、主送り台６に前後動を伝動する送り軸１５と、該送り軸１５の往復回動運動の運動量を調節する送り量調節機構２３と、送り軸１５と連動して往復回動運動し、差動送り台７に前後動を伝動する差動送り軸２２と、差動送り軸２２の往復回動運動の運動量を調節する差動送り量調節機構４３とよりなり、上記送り量調節機構２３が送り量を調節するための手動操作部２４と、シリンダ部３が突出する側のベッド主部２側面に取付けられ、送り量を表示する目盛を形成した目盛板４１と、上記ベッド主部側面で上記手動操作部２４の操作に連動して動き、上記目盛板４１の目盛を指す指針を備えた送り量指針レバー４０を有するミシンの送り機構において、
上記シリンダ部の付け根の下方のベッド主部側面に形成される凹所と、ベッド主部２に軸支されて手動操作部２４の操作により回動し、前記凹所内に突出する端部に送り量指針レバー４０を固着した水平軸２７ａとを備え、
目盛板４１が送り量指針レバー４０に被さるよう前記凹所に装着され、
上記目盛板４１及び送り量指針レバー４０がベッド主部側面に形成される凹所内にベッド主部側面より突出しないようにして収められることを特徴とするミシンの送り機構。
【請求項２】
前記目盛板４１が弧状の窓４１ａを有すると共に目盛板４１の目盛が窓縁に表示されていることを特徴とする請求項１記載のミシンの送り機構。
【発明の詳細な説明】
【０００１】
【発明が属する技術分野】
本発明は、ミシン、ことに衣服の袖部等の筒状生地を縫製することができるシリンダ部を備えたミシンの送り機構に関する。
【０００２】
【従来技術】
この種の送り機構が特開平９−１４０９６６号に開示されている。この送り機構は、ミシンべッド内にミシン主軸、上下送り軸、送り軸及び差動送り軸を配置し、ミシンベッドは一側に側方に突出するシリンダ部を備えている。
【０００３】
ミシン主軸は、ミシンベッドよりシリンダ部まで延び、端部に取着した角駒を主送り台及び差動送り台の後二又部に嵌合させて、両送り台に上下動を伝動し、また上下送り軸は駆動軸と連動して往復回動運動し、端部に取着した角駒を主送り台及び差動送り台の前二又部に嵌合させて両送り台に上下動を伝動し、両送り台の前後の上下動は同期させてある。
【０００４】
送り軸は、駆動軸と連動して往復回動運動し、その運動量が送り量調節機構により調節され、主送り軸に固着のクランク及び該クランクと主送り台を連結するリンクを介して主送り台に前後動を伝動するようになっている。
【０００５】
差動送り軸には、送り軸の往復回動運動が差動送り伝達機構を介して伝動され、差動送り台に前後動を伝動するようになっており、その前後動は、差動送り伝達機構により調節されるようになっている。
送り量調節機構は、ミシンベッド側面に軸支される送りレバーと、送りレバーを覆い、目盛を表示した目盛板を有し、ミシンベッドの手前側に突設される調節つまみを回転操作することにより送り量が調節されると共に、送りレバーが回動し、送りレバー先端が指す目盛で送り量が表示されるようになっている。
【０００６】
【発明が解決しようとする課題】
上述の送り機構では、送りレバーや目盛板がミシンベッド側面より突出して設けられているため、これらが筒状生地をシリンダ部に挿入する際や縫製中における生地ハンドリングの邪魔となることがある。
本発明は、上記の問題を解消したミシンの送り機構を提供することを目的とする。
【０００７】
【課題の解決手段】
請求項１に係る発明は、ベッド主部及び該ベッド主部より側方に突出するシリンダ部よりなるミシンベッドと、シリンダ部に配置され、主送り歯を備えた主送り台及び該主送り台と並設され、差動送り歯を備えた差動送り台と、ベッド主部よりシリンダ部まで延び、主送り台及び差動送り台の後二又部に嵌合する角駒を介して両送り台に上下動を伝動する駆動軸と、該駆動軸と連動し、主送り台及び差動送り台の前二又部に嵌合する角駒を介して、両送り台に上記上下動と同期した上下動を伝動する上下送り軸と、駆動軸と連動して往復回動運動し、主送り台に前後動を伝動する送り軸と、該送り軸の往復回動運動の運動量を調節する送り量調節機構と、送り軸と連動して往復回動運動し、差動送り台に前後動を伝動する差動送り軸と、差動送り軸の往復回動運動の運動量を調節する差動送り量調節機構とよりなり、上記送り量調節機構が送り量を調節するための手動操作部と、シリンダ部が突出する側のベッド主部側面に取付けられ、送り量を表示する目盛を形成した目盛板と、上記ベッド主部側面で上記手動操作部の操作に連動して動き、上記目盛板の目盛を指す指針を備えた送り量指針レバーを有するミシンの送り機構において、
上記シリンダ部の付け根の下方のベッド主部側面に形成される凹所と、ベッド主部に軸支されて手動操作部の操作により回動し、前記凹所内に突出する端部に送り量指針レバーを固着した水平軸とを備え、
目盛板が送り量指針レバーに被さるよう前記凹所に装着され、
上記目盛板及び送り量指針レバーがベッド主部側面に形成される凹所内にベッド主部側面より突出しないようにして収められることを特徴とする。
【０００８】
本発明によると、衣服の袖部等筒状生地をシリンダー部に被せて縫製する際、目盛板や送り量指針レバーがベッド主部側面より突出しないで設けられているため、これらが筒状生地をシリンダー部に挿入する際や縫製中における生地ハンドリングの邪魔になることがない。
【０００９】
請求項２に係わる発明は、請求項１に係わる発明において、前記目盛板が弧状の窓を有すると共に目盛板の目盛が窓縁に表示されていることを特徴とする。
【００１０】
【発明の実施の形態】
以下、本発明の実施の形態を図面に基づいて説明する。
図１及び図２に示すように、ミシンベッド１はベッド主部２とシリンダ部３とよりなり、シリンダ部３はベッド主部２より側方に突出している。
【００１１】
駆動軸４はベッド主部２よりシリンダ部３まで延びており、その先端は角駒５を軸支するための偏心部４ａを有し、偏心部４ａに軸支された角駒５が図３及び図４に示すように、主送り台６及び該主送り台６に並設された差動送り台７の略水平に形成された後二又部にスライド可能に嵌挿されている。これにより角駒５は駆動軸４の回転により主送り台６及び差動送り台７の後二又部に上下動を伝動させる。
【００１２】
上下ロッド８が駆動軸４の偏心部（図示せず）と上下送り軸９に固定されたレバー１０とを連結し、駆動軸４の回転により上下送り軸９が往復回動運動するようになっている。上下送り軸９は先端に揺動レバー１１を固着し、揺動レバー１１の自由端に突出したピン１２に角駒１３が軸支されている。この角駒１３は主送り台６及び差動送り台７の略水平に形成された前二又部にスライド可能に嵌挿され、上下送り軸９の揺動により角駒１３は主送り台６及び差動送り台７の前二又部に上下動を伝動させ、この上下動は角駒５による上記上下動と同期させてある。
【００１３】
主送り歯６ａが取付けられる主送り台６は、送り軸１５とリンク機構により、すなわち送り軸１５の端部に固着された揺動レバー１５ａにリンク４４を介して連結されている。
一方、差動送り歯７ａが取付けられる差動送り台７は同じく差動送り軸２２とリンク機構により、すなわち差動送り軸２２の端部に固着された揺動レバー２２ａにリンク３１を介して連結されている。
【００１４】
図１及び図５に示すように、上下ロッド８に隣接して前後ロッド１４が駆動軸４の偏心部４ｂに嵌合され、送り軸１５とリンク１６を介して連結されている。この送り軸１５には、図５に示す送り量調節機構２３が付設されている。この送り量調節機構２３は、ベッド主部２の左端部に配置され、送り量の調節は手動操作部である、回動式の操作ノブ２４によって行う。
【００１５】
すなわち操作ノブ２４を回動すると、ストッパ片２５が図５の矢印Ａ方向に動き、これによりベルクランク２７が水平軸２７ａを中心として回動すると、リンク２９がピン３０を動かす。その結果、送り軸１５とピン３０との相対位置が変更され、送り軸１５の揺動量が変更される。送り軸１５の揺動量が変更されると、送り軸１５の揺動レバー１５ａにリンク４４を介して連結された主送り台６の前後動が変更される。
【００１６】
操作ノブ２４は、その先端に図５、図８及び図９に示すように、ストッパ片２５を有している。このストッパ片２５にはミシンベッド１下に配置されたバネ２６により図５の反時計方向に回動するように付勢されるベルクランク２７の一端が係合し、ベルクランク２７の他端はピン２８を介してリンク２９と連結されており、リンク２９は前後ロッド１４とリンク片１６とを連結するピン３０に回転可能に軸支されている（図５参照）。
【００１７】
ベルクランク２７はまた、ベッド主部２に回転可能に軸支される水平軸２７ａに固定され、水平軸２７ａは、ベッド主部２の左側面に形成される凹所（図示しない）内に突出する端部に送り量指針レバー４０を固着し、目盛板４１が送り量指針レバー４０に被さって上記凹所に装着され、ベッド主部左側面より突出しないようにベッド主部左側面と面一をなしている。この目盛板４１は弧状の窓４１ａを有し、窓４１ａを通して露出する送り量指針レバー４０の指針が窓縁に表示される目盛を指し、送り量を表示するようになっている。すなわち、ベルクランク２７が回動すると、水平軸２７ａに固着された送り量指針レバー４０も回動し、その指針が指す目盛で送り量が表示される。
【００１８】
なお、送り軸１５の揺動は、レバー１７、差動送りリンク１９及びスライダー２０を介して差動送り軸２２にも伝動されるため、操作ノブ２４を回動すると、差動送り台７の前後動も同時に変更される。
【００１９】
送り軸１５にはまた差動送り量調節機構４３が付設されている。この差動送り量調節機構４３は、図１、図６及び図７に示されるように、送り軸１５の端部に固着されたレバー１７を有し、レバー１７は、ピン１８によりリンク１９と連結され、リンク１９は、差動送り軸２２に取着の差動送り腕２２ｂにスライド可能に装着されるスライダー２０より突出するピン２１に回転可能に軸支されている。そしてこれらレバー１７、リンク１９及び差動送り腕２２ｂはリンク機構を構成している。なお、差動送り腕２２ｂは下方に延び、その形状は彎曲している。
【００２０】
スライダー２０は手動操作機構３２に連結されている。この手動操作機構３２は、図１及び図７に示されるようにベッド主部２に軸支された操作軸３４と該操作軸３４に固着された手動操作部材としての手動レバー３３を有し、手動レバー３３はベッド主部２の右側端に配置されている。操作軸３４には下方に延びるレバー３５が固着され、レバー３５はベッド主部２内に軸支されたベルクランクレバー３６の一方３６ａにリンク３７を介して連結されている。ベルクランクレバー３６の他方３６ｂは、リンク３８を介してスライダー２０より突出するピン２１に回転可能に軸支されている。
【００２１】
差動送り量の変更は、手動レバー３３を回動させることによって行う。すなわち足踏みペダル或いはエアシリンダ等の駆動手段により手動レバー３３を操作軸３４の回りに回動させると、レバー３５がリンク３７を介してベルクランクレバー３６を回動させる。ベルクランクレバー３６が回動すると、スライダー２０が差動送り軸２２の差動送り腕２２ｂに沿ってスライドし、これにより送り軸１５の揺動に伴う差動送り軸２２の揺動量が変更される。
【００２２】
主送り歯６ａと差動送り歯７ａは、上下動及び前後動に伴う両送り台６、７の楕円運動によりシリンダ部３上に取付けられた針板３９から出没し、針板３９上に載せられた生地の下方に間欠的に係合する。両送り歯６ａ、７ａに間欠的に係合された生地は図１に示す生地送り方向Ｆに送られる。
【００２３】
【発明の効果】
本発明のミシンの送り機構によると、ベッド主部側面に設けられる、目盛板や送り量指針レバーがベッド主部側面より突出していないため、これらが筒状生地をシリンダー部に挿入する際の邪魔にならず、筒状生地をベッド主部側面に当たるまでシリンダー部に深く挿入して縫製することができ、またこのときの生地ハンドリングをスムースに行うことができる。
【図面の簡単な説明】
【図１】ミシンの送り機構の斜視図。
【図２】同送り機構の要部の平面図。
【図３】シリンダー部に納められる主送り台と、その関連部材を示す側面図。
【図４】シリンダー部に納められる差動送り台と、その関連部材を示す側面図。
【図５】ベッド主部に納められる送り量調節機構の側面図。
【図６】差動送り調節機構の要部の側面図。
【図７】手動操作機構を示す図。
【図８】送り量操作機構の斜視図。
【図９】送り量調節機構の分解斜視図。
【符号の説明】
１・・ミシンベッド
２・・ベッド主部
３・・シリンダ部
４・・駆動軸
５、１３・・角駒
６・・主送り台
７・・差動送り台
９・・上下送り軸
１４・・前後ロッド
１５・・送り軸
１９・・差動送りリンク
２０・・スライダー
２２・・差動送り軸
２３・・送り量調節機構
２４・・操作ノブ
２５・・ストッパ片
２６・・バネ
２７・・ベルクランク
３２・・手動操作機構
３３・・手動レバー
３４・・操作軸
４０・・送り量指針レバー
４１・・目盛板
４３・・差動送り量調節機構
【図１】
0004078049.tif 000002
【図２】
0004078049.tif 000003
【図３】
0004078049.tif 000004
【図４】
0004078049.tif 000005
【図５】
0004078049.tif 000006
【図６】
0004078049.tif 000007
【図７】
0004078049.tif 000008
【図８】
0004078049.tif 000009
【図９】
0004078049.tif 000010